(57)【要約】【課題】作業性や生産性が高く、挿抜部材の引張強度が大きくて、更に、嵌合作業に利用できるハーネスを提供する。【解決手段】ハーネス２２は、抜用ケーブル２２２ａを設けた雄コネクタ２２０と、複数の同軸ケーブル２２１とを有する。作業者は、雄コネクタ２２０と雌コネクタ２４０との嵌合の解除を行うとき、抜用ケーブル２２２ａを摘んで作業が行えるので、作業性が良くなる。【選択図】図３
2008117535.tif 000002
【特許請求の範囲】
【請求項１】
複数の端子を有するコネクタと、
前記複数の端子に電気的に接続される複数の電線と、
前記コネクタに設けられたＵ字状の線状挿抜部材とを有することを特徴とするハーネス。
【請求項２】
複数の端子を有するコネクタと、
前記複数の端子に電気的に接続される複数の電線と、
前記コネクタに設けられ、嵌合する相手側コネクタとの嵌合を解除する側に設けられたＵ字状の線状挿抜部材とを有することを特徴とするハーネス。
【請求項３】
前記複数の電線は、所定の幅に整列して設けられ、
前記挿抜部材は、前記所定の幅の両端に配置されることを特徴とする請求項１又は２に記載のハーネス。
【請求項４】
前記挿抜部材は、前記複数の電線とともに前記コネクタと接着剤で固定されることを特徴とする請求項３に記載のハーネス。
【請求項５】
前記挿抜部材は、嵌合する相手側コネクタとの嵌合する側に設けられていることを特徴とする請求項１に記載のハーネス。
【請求項６】
前記挿抜部材は、嵌合する相手側コネクタとの嵌合を解除する側に設けられていることを特徴とする請求項１に記載のハーネス。
【請求項７】
前記挿抜部材は、嵌合する相手側コネクタとの嵌合する側に設けられた第１の挿抜部材と、嵌合する相手側コネクタとの嵌合を解除する側に設けられた第２の挿抜部材を有することを特徴とする請求項１に記載のハーネス。
【請求項８】
前記複数の電線は同軸ケーブルであり、前記挿抜部材は、同軸ケーブルであることを特徴とする請求項１又は２に記載のハーネス。
【請求項９】
複数の端子を有するコネクタと、
前記複数の端子に電気的に接続される複数の電線と、
前記コネクタに設けられたＵ字状の線状挿抜部材とを有するハーネスと、
前記ハーネスの前記コネクタと嵌合する他のコネクタを備えた電子機器を含むことを特徴とするハーネス着脱型電子機器。
【請求項１０】
前記電線は、同軸ケーブルであり、
前記挿抜部材は、同軸ケーブルであり、
前記電子機器は、液晶モニタと、前記液晶モニタに電力を供給し、表示信号、制御信号等を出力する基板と、前記コネクタに嵌合する前記他のコネクタとを含むことを特徴とする請求項９に記載のハーネス着脱型電子機器。
【発明の詳細な説明】
【技術分野】
【０００１】
本発明は、挿抜部材を設けたコネクタを有するハーネス及びハーネス着脱型電子機器に関する。
【背景技術】
【０００２】
従来の技術として、長方形に形成され、長手方向の両端面に係合溝を設け、複数の突出した接続端子を有するコネクタ本体と、長方形に形成され、コネクタ本体から突出した複数の接続端子に複数の信号線を固定して、接続端子に対向する位置に設けた孔に押圧することで接続端子とケーブルを電気的に接続する押圧板と、コネクタ本体の係合溝に係合する係合突起を両腕内側に設けたコ字状の押え板とを有するコネクタと、前記複数の接続端子に接続された前記複数の信号線を有したケーブルとを有するハーネス構造のコネクタ装置が提案されている（例えば、特許文献１参照）。
【０００３】
このコネクタ装置は、コ字状の押圧板に掛け回された引出しシートを有しており、このコネクタ装置が嵌合した相手側のコネクタ装置から取り外しされるとき、前記押圧板に設けられた引出しシートを取り外し方向に引っ張ることにより嵌合したコネクタ装置同士をコネクタ装置及びケーブルに無理な応力を掛けることなく取り外すことができる。
【特許文献１】特開平４−１４７５７６号公報
【発明の開示】
【発明が解決しようとする課題】
【０００４】
しかし、従来のコネクタ装置によると、コ字状の押圧板に掛け回された引出しシートを引っ張って、コネクタ装置の嵌合を解除するようになっているため、引出しシートを引っ張るときの作業性が低く、引出しシートの引張強度を大きくすることが難しく、引出しシートを押圧板に掛け回すため、生産性が低く、更に、嵌合作業に利用できない。
【０００５】
従って、本発明の目的は、作業性や生産性が高く、挿抜部材の引張強度が大きくて、更に、嵌合作業に利用できるハーネス及びハーネス着脱型電子機器を提供することにある。
【課題を解決するための手段】
【０００６】
（１）本発明は上記目的を達成するため、複数の端子を有するコネクタと、前記複数の端子に電気的に接続される複数の電線と、前記コネクタに設けられたＵ字状の線状挿抜部材とを有することを特徴とするハーネスを提供する。
【０００７】
このような構成によれば、作業性や生産性が高く、挿抜部材の引張強度が大きくて、更に、コネクタ装置同士の嵌合及び嵌合の解除を行うことができる。
【０００８】
（２）本発明は上記目的を達成するため、複数の端子を有するコネクタと、前記複数の端子に電気的に接続される複数の電線と、前記コネクタに設けられ、嵌合する相手側コネクタとの嵌合を解除する側に設けられたＵ字状の線状挿抜部材とを有することを特徴とするハーネスを提供する。
【０００９】
このような構成によれば、作業性や生産性が高く、挿抜部材の引張強度が大きくて、更に、コネクタ装置同士の嵌合の解除を行うことができる。
【００１０】
（３）本発明は上記目的を達成するため、複数の端子を有するコネクタと、前記複数の端子に電気的に接続される複数の電線と、前記コネクタに設けられたＵ字状の線状挿抜部材とを有するハーネスと、前記ハーネスの前記コネクタと嵌合する他のコネクタを備えた電子機器を含むことを特徴とするハーネス着脱型電子機器を提供する。
【００１１】
このような構成によれば、作業性や生産性が高く、挿抜部材の引張強度が大きくて、更に、コネクタ装置同士の嵌合及び嵌合の解除を行うことができる。
【発明の効果】
【００１２】
本発明によれば、作業性や生産性が高く、挿抜部材の引張強度が大きくて、更に、嵌合作業に利用できるハーネス及びハーネス着脱型電子機器を提供することができる。
【発明を実施するための最良の形態】
【００１３】
[第１の実施の形態]
（第１の実施の形態の構成）
図１は、本発明の第１の実施の形態に係るノートパソコンの全体図である。
【００１４】
ハーネス着脱型電子機器としてのノートパソコン１は、ＣＰＵ（Ｃｅｎｔｒａｌ  Ｐｒｏｃｅｓｓｉｎｇ  Ｕｎｉｔ）等を搭載した本体２と、画像を表示する液晶モニタ３と、文字の入力等を行うキーボード４とを有する。
【００１５】
図２（ａ）は、本発明の第１の実施の形態に係るノートパソコンの破断図であり、（ｂ）は、本発明の第１の実施の形態に係る液晶モニタの背面破断図である。
【００１６】
ＣＰＵ等の電子部品が配置されたメイン基板２１は、ハーネス２２と接続される。ハーネス２２は、ヒンジ２３の内部を通って液晶モニタ３の背面に配置され、液晶モニタ３に電力を供給し、表示信号、制御信号等を出力するＬＣＤ（Ｌｉｑｕｉｄ  Ｃｒｙｓｔａｌ  Ｄｉｓｐｌａｙ）基板２４に接続される。
【００１７】
図３（ａ）は、本発明の第１の実施の形態に係るハーネスとＬＣＤ基板上に設けられた雌コネクタとの平面図である。図３（ｂ）は、本発明の第１の実施の形態に係る抜用ケーブルが設けられたハーネスと雌コネクタの断面図である。
【００１８】
ハーネス２２は、雄コネクタ２２０と、メイン基板２１からの電力の供給、表示信号、制御信号等をＬＣＤ基板２４に伝達し、雄コネクタ２２０に、図３（ａ）に示すように所定の幅に整列して設けられた複数の同軸ケーブル２２１と、複数の同軸ケーブル２２１の両端に設置され、雄コネクタ２２０に接続されるＵ字状の線状挿抜部材としての抜用ケーブル２２２ａとを有する。
【００１９】
同軸ケーブル２２１は、導電性のある外部導体２２３と中心導体２２４とからなり、一例として、ＡＷＧ（Ａｍｅｒｉｃａｎ  Ｗｉｒｅ  Ｇａｕｇｅ）３６番で、外径が１ｍｍであるとするが、これに限定されない。また、抜用ケーブル２２２ａは、ハーネス２２を作成するときに発生した、同軸ケーブル２２１の端材によって作成されるが、これに限定されず、多種多様な線材が使用できる。同軸ケーブル２２１および抜用ケーブル２２２ａは、図３（ａ）に示されるように嵌合する相手側コネクタである雌コネクタ２４０との嵌合を解除する側に設けられる。
【００２０】
雄コネクタ２２０は、不導体である上部絶縁体２２５ａ及び下部絶縁体２２５ｂと、同軸ケーブル２２１の外部導体２２３と電気的に接続される複数のグランドバー２２６と、同軸ケーブル２２１の中心導体２２４と電気的に接続される端子としての複数のコンタクト２２７ａと、雄コネクタ２２０に接続された複数の同軸ケーブル２２１と抜用ケーブル２２２ａとともに雄コネクタ２２０を接着する接着剤２２８と、接続された同軸ケーブル２２１と抜用ケーブル２２２ａとを保護する保護テープ２２９とを有する。
【００２１】
雄コネクタ２２０は、１２本の同軸ケーブル２２１を接続することができるが、これに限定されない。
【００２２】
嵌合する相手側コネクタとしての雌コネクタ２４０は、不導体である絶縁体２２５ｃと、雌コネクタ２４０と雄コネクタ２２０とが嵌合したとき、コンタクト２２７ａと電気的に接続する複数のコンタクト２２７ｂと、ＬＣＤ基板２４上に設けられた配線パターンと電気的に接続する複数のビアホール２４１と、雌コネクタ２４０と雄コネクタ２２０とを嵌合したとき、グランドバー２２６と雌コネクタ２４０の長手方向の両端面の内側（図示せず）とで電気的に接続する複数の接地パターン２４２とを有する。
【００２３】
（ハーネス２２の作成）
作業員は、同軸ケーブル２２１の両端を、中心導体２２４と外部導体２２３とが外部に露出するように、必要な数加工する。
【００２４】
また、作業員は、端材の中から、Ｕ字状に指が掛けられる程十分な長さの同軸ケーブル２２１を用いて、上記と同様に加工し、抜用ケーブル２２２ａを作成する。抜用ケーブル２２２ａは、特別な線材や特別に加工されたもので無くても良いので、低コストに作成することができる。
【００２５】
作業員は、雄コネクタ２２０を上部絶縁体２２５ａと下部絶縁体２２５ｂとに分割し、下部絶縁体２２５ｂに設置されたコンタクト２２７ａに中心導体２２４を接触させ、一例として、はんだを用いて電気的に接続する。このとき、コンタクト２２７ａは、抜用ケーブル２２２ａを接続するため、両端を残しているものとする。
【００２６】
同様に作業員は、作成した抜用ケーブル２２２ａの中心導体２２４の一端を、同軸ケーブル２２１が接続されていないコンタクト２２７ａの一端に、抜用ケーブル２２２ａの中心導体２２４の他端を残りのコンタクト２２７ａに接触させ、一例として、はんだを用いて接続する。
【００２７】
ここで、中心導体２２４や抜用ケーブル２２２ａの接続は、はんだを用いたが、接着剤や圧着、溶接等によって行われても良いし、これに限定されない。
【００２８】
作業員は、すべての接続が完了した後、上部絶縁体２２５ａと下部絶縁体２２５ｂとを接合する。このとき、雄コネクタ２２０のグランドバー２２６と外部導体２２３は、図３（ｂ）に示すように、電気的に接続する。
【００２９】
作業員は、上記の作業をハーネス２２の他端においても行い、ハーネス２２を作成する。また、抜用ケーブル２２２ａは、同軸ケーブル２２１と同じ方法で接続されるので、生産性が良く、はんだ等で接続されるため、引張強度が高い。
【００３０】
（第１の実施の形態の動作）
図４は、本発明の第１の実施の形態に係るＬＣＤ基板上に設けられた雌コネクタと雄コネクタとの嵌合の解除に関する図である。一例として、作業員が、ノートパソコン１の液晶モニタ３を取り外す作業を行う場合を表している。
【００３１】
作業員は、ノートパソコン１の電源を切ったあと、液晶モニタ３を交換するため、液晶モニタ３の背面のカバーを取り外す。
【００３２】
作業員は、液晶モニタ３の背面に設けられたＬＣＤ基板２４上の雌コネクタ２４０と雄コネクタ２２０との嵌合の解除のため、抜用ケーブル２２２ａに指を掛け、徐々に力を掛けながらゆっくりと嵌合を解除する側、すなわち図示するＡの方向に抜用ケーブル２２２ａを引っ張る。
【００３３】
従来のハーネスでは、両端の同軸ケーブル２２１は、隣接する同軸ケーブル２２１との間にだけ、接着剤２２８が浸透するので、雄コネクタ２２０に対する屈曲や同軸ケーブル２２１を摘んでの作業等に弱くなっていた。そのため、作業員が、例えば、誤って同軸ケーブル２２１を摘んで作業を行ったとき、同軸ケーブル２２１と雄コネクタ２２０との接続部分に負荷が掛かり、断線等の問題の発生の原因になっていた。
【００３４】
しかし、本実施の形態のハーネス２２は、雄コネクタ２２０に接続された複数の同軸ケーブル２２１の両端に、抜用ケーブル２２２ａを設けているので、両端の同軸ケーブル２２１は、隣接する同軸ケーブル２２１と抜用ケーブル２２２ａに挟まれ、両端に接着剤２２８が浸透し、両端の同軸ケーブル２２１を保護するので、同軸ケーブル２２１と雄コネクタ２２０との接続部分に負荷が掛かりにくくなる。そのため、作業員が、雄コネクタ２２０と雌コネクタ２４０との嵌合の解除の作業の作業性が高まる。
【００３５】
作業員は、嵌合を解除した後、液晶モニタ３を本体２から取り外し、作業を終了する。
【００３６】
（第１の実施の形態の効果）
上記した実施の形態によると、嵌合の解除の作業性や、抜用ケーブル２２２ａを設けたコネクタの生産性が高く、また、抜用ケーブル２２２ａの引張強度を大きくすることができ、また、抜用ケーブル２２２ａと同軸ケーブル２２１は、接着剤２２８によって接着されるので、屈折等に強くなる。更に、抜用ケーブル２２２ａを設けたコネクタは、一般的なコネクタを流用することができるので、低コストになる。
【００３７】
[第２の実施の形態]
（第２の実施の形態の構成）
図５（ａ）は、本発明の第２の実施の形態に係るハーネスと雌コネクタとの平面図である。図５（ｂ）は、本発明の第２の実施の形態に係る抜用ケーブルと挿入用ケーブルとが設けられたハーネスと雌コネクタの断面図である。なお、以下の説明において、第１の実施の形態と同一の構成及び機能を有する部分については、共通の符号を付している。
【００３８】
ハーネス２２は、雄コネクタ２２０と、メイン基板２１からの電力の供給、表示信号、制御信号等をＬＣＤ基板２４に伝達し、雄コネクタ２２０に、図３（ａ）に示すように所定の幅に整列して設けられた複数の同軸ケーブル２２１と、複数の同軸ケーブル２２１の両端に設置され、雄コネクタ２２０に接続されるＵ字状の線状挿抜部材としての抜用ケーブル２２２ａと、雌コネクタ２４０との嵌合する側に設けられたＵ字状の線状挿抜部材としての挿入用ケーブル２２２ｂとを有する。
【００３９】
挿入用ケーブル２２２ｂは、同軸ケーブル２２１と同一のケーブルを用い、Ｕ字状の抜用ケーブル２２２ａと同様のケーブルを向かい合わせて、図５（ａ）に示すように所定の幅に整列して設けられた複数の同軸ケーブル２２１の両端の同一のコンタクト２２７ａに接続される。
【００４０】
また雄コネクタ２２０は、挿入用ケーブル２２２ｂが雌コネクタ２４０と嵌合する側に取り出せるように、上部が開口している。
【００４１】
（ハーネス２２の作成）
作業員は、同軸ケーブル２２１の両端を、中心導体２２４と外部導体２２３とが外部に露出するように、必要な数加工する。
【００４２】
また、作業員は、端材の中から、Ｕ字状に指が掛けられる程十分な長さの同軸ケーブル２２１を用いて、上記と同様に加工し、抜用ケーブル２２２ａを作成する。また、同様の作業を行い、挿入用ケーブル２２２ｂの作成も行う。抜用ケーブル２２２ａと挿入用ケーブル２２２ｂは、特別な線材や特別に加工されたもので無くても良いので、低コストに作成することができる。
【００４３】
作業員は、雄コネクタ２２０を上部絶縁体２２５ａと下部絶縁体２２５ｂとに分割し、下部絶縁体２２５ｂに設置されたコンタクト２２７ａに中心導体２２４を接触させ、一例として、はんだを用いて電気的に接続する。このとき、コンタクト２２７ａは、抜用ケーブル２２２ａと挿入用ケーブル２２２ｂとを接続するため、両端を残しているものとする。
【００４４】
同様に作業員は、作成した抜用ケーブル２２２ａと挿入用ケーブル２２２ｂの中心導体２２４の一端を、同軸ケーブル２２１が接続されていないコンタクト２２７ａの同じ一端に、抜用ケーブル２２２ａと挿入用ケーブル２２２ｂの中心導体２２４の他端を残りのコンタクト２２７ａに接触させ、一例として、はんだを用いて接続する。
【００４５】
ここで、中心導体２２４や抜用ケーブル２２２ａの接続は、はんだを用いたが、接着剤や圧着、溶接等によって行われても良いし、これに限定されない。
【００４６】
作業員は、すべての接続が完了した後、上部絶縁体２２５ａと下部絶縁体２２５ｂとを接合する。このとき、雄コネクタ２２０のグランドバー２２６と外部導体２２３は、図５（ａ）に示すように、電気的に接続する。また、挿入用ケーブル２２２ｂは、雄コネクタ２２０の上部から、外部に取り出される。
【００４７】
作業員は、上記の作業をハーネス２２の他端においても行い、ハーネス２２を作成する。また、抜用ケーブル２２２ａと挿入用ケーブル２２２ｂとは、同軸ケーブル２２１と同じ方法で接続されるので、生産性が良く、はんだ等で接続されるため、引張強度が高い。
【００４８】
（第２の実施の形態の動作）
図６は、本発明の第２の実施の形態に係るＬＣＤ基板上に設けられた雌コネクタと雄コネクタとの嵌合に関する図である。
【００４９】
作業員は、古い液晶モニタ３を取り外し、新しい液晶モニタ３に交換するため、ヒンジ２３に新しい液晶モニタ３を取り付ける。
【００５０】
作業員は、液晶モニタ３の背面に設けられたＬＣＤ基板２４上に設けられた雌コネクタ２４０と雄コネクタ２２０とを嵌合させる。
【００５１】
このとき、作業員は、挿入用ケーブル２２２ｂを指で摘み嵌合する側、すなわち図６に示すＢの方向に、Ｂの方向と平行になるように、雄コネクタ２２０を調整してゆっくり嵌合させる。
【００５２】
従来は、作業員が、嵌合させるとき、雄コネクタ２２０に指や爪を掛けて押し込むことが多いが、押し込むときに同軸ケーブル２２１を屈曲させてしまい、同軸ケーブル２２１と雄コネクタ２２０との接続部分に負荷が掛かり、断線等の問題の発生の原因になっていた。
【００５３】
しかし、ハーネス２２は、雄コネクタ２２０に挿入用ケーブル２２２ｂを設けているので、作業員は、接続された各同軸ケーブル２２１をねじれや屈曲させること無く、作業を行うことができる。また、雄コネクタ２２０は、抜用ケーブル２２２ａも設けているので、第１の実施の形態と同様に、嵌合の作業性が高まる。
【００５４】
作業員は、雌コネクタ２４０と雄コネクタ２２０とを嵌合させた後、液晶モニタ３の背面のカバーを取り付け、作業を終了する。
【００５５】
なお、作業員は、挿入用ケーブル２２２ｂのみを設けた雄コネクタ２２０を用いても、本実施の形態の動作を行うことができる。
【００５６】
（第２の実施の形態の効果）
上記した実施の形態によると、嵌合及び嵌合を解除するときの作業性や、抜用ケーブル２２２ａと挿入用ケーブル２２２ｂとを設けたコネクタの生産性が高く、また、抜用ケーブル２２２ａ及び挿入用ケーブル２２２ｂの引張強度を大きくすることができ、また、抜用ケーブル２２２ａと同軸ケーブル２２１は、接着剤２２８によって接着されるので、屈折等に強くなる。
【００５７】
なお、本発明は、上記した実施の形態に限定されず、本発明の技術思想を逸脱あるいは変更しない範囲内で種々の変形が可能である。
【図面の簡単な説明】
【００５８】
【図１】本発明の第１の実施の形態に係るノートパソコンの全体図である。
【図２】（ａ）は、本発明の第１の実施の形態に係るノートパソコンの破断図である。（ｂ）は、本発明の第１の実施の形態に係る液晶モニタの背面破断図である。
【図３】（ａ）は、本発明の第１の実施の形態に係るハーネスとＬＣＤ基板上に設けられた雌コネクタとの平面図である。（ｂ）は、本発明の第１の実施の形態に係る抜用ケーブルが設けられたハーネスと雌コネクタの断面図である。
【図４】本発明の第１の実施の形態に係る雌コネクタと雄コネクタとの嵌合の解除に関する図である。
【図５】（ａ）は、本発明の第２の実施の形態に係るハーネスと雌コネクタとの平面図である。（ｂ）は、本発明の第２の実施の形態に係る抜用ケーブルと挿入用ケーブルとが設けられたハーネスと雌コネクタの断面図である。
【図６】本発明の第２の実施の形態に係るＬＣＤ基板上に設けられた雌コネクタと雄コネクタとの嵌合に関する図である。
【符号の説明】
【００５９】
１・・・ノートパソコン、２・・・本体、３・・・液晶モニタ、４・・・キーボード、２１・・・メイン基板、２２・・・ハーネス、２３・・・ヒンジ、２４・・・ＬＣＤ基板、２２０・・・雄コネクタ、２２１・・・同軸ケーブル、２２２ａ・・・抜用ケーブル、２２２ｂ・・・挿入用ケーブル、２２３・・・外部導体、２２４・・・中心導体、２２５ａ・・・上部絶縁体、２２５ｂ・・・下部絶縁体、２２５ｃ・・・絶縁体、２２６・・・グランドバー、２２７ａ、２２７ｂ・・・コンタクト、２２８・・・接着剤、２２９・・・保護テープ、２４０・・・雌コネクタ、２４１・・・ビアホール、２４２・・・接地パターン
【図１】
2008117535.tif 000003
【図２】
2008117535.tif 000004
【図３】
2008117535.tif 000005
【図４】
2008117535.tif 000006
【図５】
2008117535.tif 000007
【図６】
2008117535.tif 000008